(57)【特許請求の範囲】
【請求項１】
複数の入出力経路を備え、これら入出力経路の内から切換え指示にて指定される入力経路と出力経路とを接続して経路切換えする経路切換え手段と、
この経路切換え手段が備える入力経路側および出力経路側のいずれか一方もしくは双方に設けられ、自己に入力される信号の内から素材切換え指示にて指定される素材を選択して出力する素材選択手段と、
前記経路切換え手段に切換え指示を送出し、その切換え指示に対応した入出力経路の切換え状態を検出して表示する第１の切換え指示手段と、
前記素材選択手段へ入力される信号に畳み込まれる素材を検出し、検出した素材の内から選択すべき素材を指定する素材切換え指示を当該素材選択手段に送出する一方、検出した素材名および素材切換え指示した素材名をそれぞれ表示する第２の切換え指示手段と
を具備することを特徴とする切換制御装置。
【請求項２】
前記第１および第２の切換え手段は、切換え指示に対応した入出力経路の切換え状態と、検出した素材名および素材切換え指示した素材名とをＧＵＩ画面上に表示し、このＧＵＩ画面上の所定操作に応じて前記切換え指示および前記素材切換え指示を発生することを特徴とする請求項１記載の切換制御装置。
【請求項３】
複数の入出力経路の内から切換え指示にて指定される入力経路と出力経路とを接続して経路切換えする経路切換え過程と、
前記複数の入出力経路の入力経路側および出力経路側のいずれか一方もしくは双方で処理される過程であって、供給される信号の内から素材切換え指示にて指定される素材を選択して出力する素材選択過程と、
前記経路切換え過程に切換え指示を送出し、その切換え指示に対応した入出力経路の切換え状態を検出して表示する第１の切換え指示過程と、
前記素材選択過程に供給される信号に畳み込まれる素材を検出し、検出した素材の内から選択すべき素材を指定する素材切換え指示を当該素材選択過程に送出する一方、検出した素材名および素材切換え指示した素材名をそれぞれ表示する第２の切換え指示過程と
を具備することを特徴とする切換制御方法。
【請求項４】
前記第１および第２の切換え過程では、切換え指示に対応した入出力経路の切換え状態と、検出した素材名および素材切換え指示した素材名とをＧＵＩ画面上に表示し、このＧＵＩ画面上の所定操作に応じて前記切換え指示および前記素材切換え指示を発生することを特徴とする請求項３記載の切換制御方法。
【発明の詳細な説明】
【０００１】
【発明の属する技術分野】
本発明は、例えば素材を編集する編集システム等に用いて好適な切換制御装置および切換制御方法に関する。
【０００２】
【従来の技術】
音声信号や映像信号から形成される素材を編集する編集システムでは、外部から入力される複数の素材を、それぞれ指定の出力先に供給するよう信号経路を切換えるルータを備える場合が多い。
図８の概略図に示すように、ルータでは複数端子からなる入出力ポートを備えており、図示されていない切換制御装置からの切換え指示に応じて、入力ポートにアサインされる各信号を、図中で黒丸として図示されるクロスポイントＣＰで交差する出力ポートに供給する。例えば図７の一例では、入力ポートＩＮ００１の信号が出力ポートＯＵＴ００１に、入力ポートＩＮ００２の信号が出力ポートＯＵＴ００２に経路切換えされる。
従来、切換制御装置ではルータにおける入力ポートと出力ポートとの関係、つまり、クロスポイントＣＰを持つ入力端子番号と出力端子番号とを画面表示してルータの経路切換え状態を表したり、入力端子番号と出力端子番号とを指定してその交差点となるクロスポイントＣＰに対応した切換え指示を発生し、それをルータ側に供給して経路切換えするようになっている。
【０００３】
【発明が解決しようとする課題】
ところで、近年ではＳＤＤＩ（シリアルディジタルデータインタフェース）と呼ばれ、１つの信号線にＭＰＥＧ圧縮映像信号など複数の素材を畳み込む信号形式が用いられており、上述した従来の切換制御装置ではそのような信号形式に対応して切換え制御することが出来ないという問題がある。
本発明は、このような事情に鑑みてなされたもので、複数の素材が畳み込まれた信号形式に対応して切換え制御することができる切換制御装置および切換制御方法を提供することを目的としている。
【０００４】
【課題を解決するための手段】
上記目的を達成するため、請求項１に記載の発明では、複数の入出力経路を備え、これら入出力経路の内から切換え指示にて指定される入力経路と出力経路とを接続して経路切換えする経路切換え手段と、この経路切換え手段が備える入力経路側および出力経路側のいずれか一方もしくは双方に設けられ、自己に入力される信号の内から素材切換え指示にて指定される素材を選択して出力する素材選択手段と、前記経路切換え手段に切換え指示を送出し、その切換え指示に対応した入出力経路の切換え状態を検出して表示する第１の切換え指示手段と、前記素材選択手段へ入力される信号に畳み込まれる素材を検出し、検出した素材の内から選択すべき素材を指定する素材切換え指示を当該素材選択手段に送出する一方、検出した素材名および素材切換え指示した素材名をそれぞれ表示する第２の切換え指示手段とを具備することを特徴とする。
【０００５】
上記請求項１に従属する請求項２に記載の発明では、前記第１および第２の切換え手段は切換え指示に対応した入出力経路の切換え状態と、検出した素材名および素材切換え指示した素材名とをＧＵＩ画面上に表示し、このＧＵＩ画面上の所定操作に応じて前記切換え指示および前記素材切換え指示を発生することを特徴とする。
【０００６】
請求項３に記載の発明では、複数の入出力経路の内から切換え指示にて指定される入力経路と出力経路とを接続して経路切換えする経路切換え過程と、前記複数の入出力経路の入力経路側および出力経路側のいずれか一方もしくは双方で処理される過程であって、供給される信号の内から素材切換え指示にて指定される素材を選択して出力する素材選択過程と、前記経路切換え過程に切換え指示を送出し、その切換え指示に対応した入出力経路の切換え状態を検出して表示する第１の切換え指示過程と、前記素材選択過程に供給される信号に畳み込まれる素材を検出し、検出した素材の内から選択すべき素材を指定する素材切換え指示を当該素材選択過程に送出する一方、検出した素材名および素材切換え指示した素材名をそれぞれ表示する第２の切換え指示過程とを具備することを特徴とする。
【０００７】
上記請求項３に従属する請求項４に記載の発明では、前記第１および第２の切換え過程では、切換え指示に対応した入出力経路の切換え状態と、検出した素材名および素材切換え指示した素材名とをＧＵＩ画面上に表示し、このＧＵＩ画面上の所定操作に応じて前記切換え指示および前記素材切換え指示を発生することを特徴とする。
【０００８】
本発明では、経路切換え手段に切換え指示を与え、その切換え指示に対応した入出力経路の切換え状態を検出して表示する一方、素材選択手段に入力される信号に畳み込まれる素材を検出し、検出した素材の内から選択すべき素材を指定する素材切換え指示を素材選択手段に与え、検出した素材名および素材切換え指示した素材名を表示するので、複数の素材が畳み込まれた信号形式に対応して切換え制御することが可能になる。
【０００９】
【発明の実施の形態】
以下、図面を参照して本発明の実施の一形態について説明する。
（１）構成
図１は、本発明の実施の一形態による切換制御システムの構成を示すブロック図である。この図に示す切換制御システムは、切換処理部１０、切換制御部２０、ルータ部３０、デコーダ部４０および切換えコントローラ５０から構成される。
【００１０】
切換処理部１０は、ＣＰＵ１１、ＲＡＭ１２、ディスプレイ１３およびハードディスク装置１４などを備える周知のパーソナルコンピュータから構成される。切換処理部１０では、ＣＰＵ１１がハードディスク装置１４から読み出して実行する切換処理プログラムの動作に基づき、切換制御部２０やデコーダ部４０とデータ通信を行い、これにより得られるルータ部３０の経路切換え状態やデコーダ部４０の素材選択状態をＧＵＩ画面としてディスプレイ１３に表示する。
【００１１】
また、切換処理部１０では、経路切換え状態や素材選択状態が表示されるＧＵＩ画面においてなされるユーザの切換え操作、例えばマウス等のポインティング操作子を用いたドラッグ／ドロップ操作に応じた切換え指示や素材選択指示を発生し、それを切換制御部２０あるいはデコーダ部４０に送出する。
切換処理部１０と切換制御部２０とは、例えばＲＳ−４２２等のシリアルデータ形式により所定プロトコルに従い、図２に図示するフォーマットでデータ通信する。
【００１２】
図２に示すデータフォーマットにおいて、ＳＴＸはテキストコードの開始を表すスタートコード（０２ｈ）、ＢＣはＵＡ１からＣＳの直前までのデータ長を表すコード、ＵＡ１はユニットアドレスであり、所定アドレス値（３１ｈ）がセットされる。ＵＡ２は送信先機器ＩＤを指定するユニットアドレスである。ＢＴはブロックタイプコマンド、ＣＭＤ／ＭＳＧはコマンドコードおよびメッセージを表すブロック、ＣＳはチェックサムコード、ＥＸＴはテキストコードの終わりを表すエンドコード（０３ｈ）である。
【００１３】
このようなフォーマットにおいて、上記コマンドコードＣＭＤが「２２ｈ（１６進数表示）」の場合、切換処理部１０から切換制御部２０に送出する切換え指示を表す。切換え指示する内容は、コマンドコードＣＭＤに続くメッセージブロックＭＳＧにて定義される。
また、コマンドコードＣＭＤが「６２ｈ（１６進数表示）」の場合、切換処理部１０から切換制御部２０に送出する切換え状態検出指示を表す。
さらに、コマンドコードＣＭＤが「７２ｈ（１６進数表示）」の場合、切換制御部２０から切換処理部１０（ＣＰＵ１１）に応答する切換え状態検出結果を表す。検出した経路切換え状態は、コマンドコードＣＭＤに続くメッセージブロックＭＳＧにて定義される。
【００１４】
切換処理部１０とデコーダ部４０との間も、図２に図示するフォーマットを用い、ＲＳ−４２２等のシリアルデータ形式により所定プロトコルでデータ通信する。
そして、コマンドコードＣＭＤが「２２ｈ（１６進数表示）」の場合には、切換処理部１０からデコーダ部４０に送出する畳み込み信号切換え指示を表す。切換え指示する内容は、コマンドコードＣＭＤに続くメッセージブロックＭＳＧにて定義される。つまり、１つの信号線に複数の素材が畳み込まれたＳＤＤＩ信号などがデコーダ部４０に供給された時、そのＳＤＤＩ信号中からどの素材を選択するかを指示する。
【００１５】
また、コマンドコードＣＭＤが「６３ｈ（１６進数表示）」の場合、切換処理部１０（ＣＰＵ１１）からデコーダ部４０に送出する畳み込み検出指示を表す。このコマンドを受信したデコーダ部４０では、信号に畳み込まれた素材を検出する。
さらに、コマンドコードＣＭＤが「７３ｈ（１６進数表示）」の場合、デコーダ部４０から切換処理部１０（ＣＰＵ１１）に応答する畳み込み検出結果を表す。検出した畳み込み状態は、コマンドコードＣＭＤに続くメッセージブロックＭＳＧにて定義される。
【００１６】
切換処理部１０では、切換制御部２０とのデータ通信にて得たルータ部３０側の経路切換え状態と、デコーダ部４０とのデータ通信にて得た畳み込み状態とを状態テーブルＴＢＬとしてＲＡＭ１２にストアする。
切換処理部１０では、ルータ部３０における初期設定状態を記述した初期設定ファイルがハードディスク装置１４に記憶される。図３に初期設定ファイルに格納される初期設定データの一例を示す。
図３に示す一例では、ルータ部３０の出力端子ＯＵＴ００１に素材Ｖ１、素材Ｖ２および素材Ｖ３が畳み込まれた信号ＯＵＴ０１を割り当て、出力端子ＯＵＴ００２〜ＯＵＴ００４に信号ＯＵＴ０２〜ＯＵＴ０４をそれぞれ割り当てる旨を表す。
【００１７】
ハードディスク装置１４に記憶される初期設定ファイルは、ＣＰＵ１１が切換処理プログラムをブートアップする際に参照されるものであり、そのファイルから読み出される初期設定データは切換処理プログラムによって切換え設定データに変換された後にＲＡＭ１２に格納される。
【００１８】
例えば、図３に図示した内容の初期設定ファイルの場合、図４に図示するよう、出力端子毎に「信号名称」とその信号に畳み込まれる「素材名称」とを表す切換え設定データに変換される。なお、この切換え設定データにおいて、畳み込まれた信号が存在しない場合には、ヌルコード（０ｈ：１６進数表示）が付与される。
したがって、切換処理プログラムを起動した当初、切換処理部１０はＲＡＭ１２に格納された切換え設定データを参照し、それに対応する経路切換え状態や畳み込み状態を得るべく、前述した切換え状態検出指示および畳み込み検出指示を発生して切換制御部２０／デコーダ部４０に送出する。
【００１９】
切換処理部１０では、ＲＡＭ１２に格納される切換え設定データに基づき図５に図示する態様のＧＵＩ画面を発生してディスプレイ１３に表示する一方、ＲＡＭ１２に格納される状態テーブルＴＢＬの内容に応じて切換え状態および素材選択状態を表すようにＧＵＩ画面の表示内容を更新する。
【００２０】
図５に図示するＧＵＩ画面は、図４に図示した切換え設定データに対応させた一例であり、ルータ部３０の入力端子番号毎の入力端子名を表示するテーブルＴＢ１と、出力端子番号毎にアサインされる出力端子名、サブ名称（畳み込まれる素材名に相当）および接続先となる入力端子名（又は接続機器名）を表示するテーブルＴＢ２とから構成される。
このテーブルＴＢ２では、例えば「ＯＵＴ０１」のように、畳み込まれた信号が出力端子にアサインされた場合、サブ名称が表示されると同時に、畳み込まれた信号の内どの素材（サブ名称）を選択しているかを表すべく、選択した素材（サブ名称）に対応する箇所に入力端子名が表示されるようになっている。
【００２１】
切換制御部２０は、ＣＰＵ、ＲＯＭおよびＲＡＭから構成されるマイコン２１と、切換処理部１０／ルータ部３０に対してそれぞれＲＳ−４２２等のシリアルデータ形式によりデータ通信する通信インタフェース２２，２３とを備える。
切換制御部２０は、切換処理部１０から送出されるコマンド（切換え指示および経路切換え状態検出指示）をルータ部３０に中継する一方、ルータ部３０からの応答である経路切換え状態を切換処理部１０に返送する。
【００２２】
ルータ部３０は、ＣＰＵ、ＲＯＭおよびＲＡＭから構成されるマイコン３１、信号路切換え部３２および通信インタフェース３３〜３５を備える。ルータ部３０は、切換制御部２０を介して送出されてくるコマンドに応じて信号路切換え部３２に切換え指示を与えたり、信号路切換え部３２におけるクロスポイントを調べ、その結果を経路切換え状態として切換制御部２０に通知する。
信号路切換え部３２は、複数の入力端子からなる入力ポートと、複数の出力端子からなる出力ポートとを備え、マイコン３１からの指示に応じて入力ポートと出力ポートとの間の信号経路を切換える一方、その状態（経路切換え状態）をマイコン３１に通知する。
【００２３】
また、ルータ部３０は、通信インエタフェース３３を介してシリアルバスＳ−ＢＵＳに接続されており、当該シリアルバスＳ−ＢＵＳに接続される各種機器（図示略）を制御する主局として動作する。なお、シリアルバスＳ−ＢＵＳに接続される各種機器とは、例えば編集処理に用いるエフェクタや素材を記録再生するサーバ等を指す。
【００２４】
シリアルバスＳ−ＢＵＳに接続される各種機器には、固有のアドレスが付与されており、主局として動作するルータ部３０は、ポーリングセレクティング方式により一定間隔で各機器の固有アドレスに対してポーリングを行って経路切換え状態を通知する。一方、シリアルバスＳ−ＢＵＳに接続される各種機器は、ポーリングに応じて自己の設定状態もしくは動作状態を主局であるルータ部３０に通知する。
ルータ部３０は、通信インタフェース３４を介して切換制御部２０から制御される他、通信インタフェース３５を用いてローカルに信号路切換え部３２を切換え制御することも可能になっている。
【００２５】
デコーダ部４０は、切換処理部１０から送出される畳み込み信号切換え指示に従い、例えば複数の素材が畳み込まれたＳＤＤＩ信号の内からその指示された信号（素材）を選択して出力する。
また、切換処理部１０から畳み込み検出指示を受けた場合には、自己に入力される信号に畳み込まれた素材を検出し、その検出結果を畳み込み状態として切換処理部１０に返送する。
【００２６】
切換えコントローラ５０は、シリアルバスＳ−ＢＵＳ経由でルータ部３０に切換え指示を与える。すなわち、主局として動作するルータ部３０からのポーリングに応じてルータ部３０に切換え指示を通知する。なお、切換えコントローラ５０に替えて表示装置をシリアルバスＳ−ＢＵＳに接続した場合には、ポーリングによって通知されるルータ部３０の経路切換え状態を表示する形態となる。
【００２７】
（２）動作
次に、上記構成における切換処理部１０の動作について説明する。切換処理部１０において切換処理プログラムが起動されると、ＣＰＵ１１はハードディスク装置１４に記憶される初期設定ファイルから初期設定データを読み出し、それを切換え設定データに変換してＲＡＭ１２に格納する。
次に、切換処理部１０では、ＲＡＭ１２に格納される切換え設定データに基づき、図５に図示するように、出力端子番号毎にアサインされる出力端子名、サブ名称（畳み込まれる素材名に相当）および接続先となる入力端子名（又は接続機器名）をＧＵＩ画面のテーブルＴＢ２に表示する。
【００２８】
こうして、ＧＵＩ画面上に切換え設定データの内容が表示されると、ＣＰＵ１１は図６に図示する状態表示処理を実行し、ステップＳＡ１に処理を進める。ステップＳＡ１では、出力端子番号Ｎｏを初期値「１」にセットし、続くステップＳＡ２では、出力端子番号Ｎｏでのクロスポイントを検出するよう切換え状態検出指示を発生してクロスポイントセンスを行う。
【００２９】
すなわち、切換処理部１０から切換制御部２０を経由してルータ部３０に切換え状態検出指示を供給すると、ルータ部３０がその検出指示に従って信号路切換え部３２におけるクロスポイントを調べ、その結果を経路切換え状態として切換制御部２０を介して切換処理部１０に通知する。切換処理部１０に通知された経路切換え状態は、状態テーブルＴＢＬとしてＲＡＭ１２にストアされる。
【００３０】
次いで、ステップＳＡ３では、ＲＡＭ１２にストアされた状態テーブルＴＢＬを参照し、出力端子番号Ｎｏに接続される入力端子名を取得する。そして、ステップＳＡ４に進むと、出力端子番号Ｎｏは畳み込み信号に対応するものであるか否かを判断する。ここで、畳み込み信号に対応するものでなければ、判断結果は「ＮＯ」となり、ステップＳＡ５に処理を進め、取得した入力端子名を該当位置に表示する。
一方、畳み込み信号に対応するものであると、判断結果が「ＹＥＳ」となり、ステップＳＡ６に処理を進め、畳み込み検出指示を発生して畳み込み状態を検出する。
【００３１】
すなわち、切換処理部１０からデコーダ部４０に畳み込み検出指示を供給すると、デコーダ部４０がその指示に従って自己に入力される信号に畳み込まれた素材を検出し、その結果を畳み込み状態として切換処理部１０に通知する。
続いて、ステップＳＡ７では、畳み込まれた素材（サブ名称）に該当する位置に入力端子名を表示する。この後、ステップＳＡ８に処理を進め、出力端子番号Ｎｏをインクリメントして歩進させ、続くステップＳＡ９では、歩進された出力端子番号Ｎｏが最終端子番号を超えたか、つまり、全ての出力端子について状態表示し終えたかどうかを判断する。
【００３２】
全ての出力端子について状態表示し終えていなければ、判断結果は「ＮＯ」となり、上述したステップＳＡ２〜ＳＡ８を繰り返す。そして、全ての出力端子について状態表示し終えると、上記ステップＳＡ９の判断結果が「ＹＥＳ」となり、状態表示処理を完了する。これにより、図５に図示したＧＵＩ画面が形成されることになる。
【００３３】
次に、図７を参照し、ＧＵＩ画面においてなされるユーザの切換え操作、すなわちマウスのドラッグ／ドロップ操作に応じた切換え制御処理について説明する。
なお、以下では、切換処理部１０のディスプレイ１３に、図５に図示したＧＵＩ画面が表示されている時、入力端子名「ＩＮ０６」を出力端子名「ＯＵＴ０４」に接続する場合を動作の一例として説明する。
【００３４】
まず最初に、ユーザが入力端子名「ＩＮ０６」のセル部分にマウスカーソルをポインティングしてマウスボタンをクリックしたとする。そうすると、図７に図示するステップＳＢ１に処理を進め、畳み込みフラグをゼロリセットする。
次に、入力端子名「ＩＮ０６」のセル部分をクリックした状態のまま出力端子名「ＯＵＴ０４」および「ＣＡＭ０１」が表示される行に移動（ドラッグ）すると、ステップＳＢ２に処理を進め、ドラッグされた入力端子番号を取込んでレジスタＮｏ＿Ｉｎにストアする。
続いて、ドラッグし終えた位置でマウスボタンを離す（ドロップ）と、ステップＳＢ３に処理を進め、ドロップされた出力端子番号を取込んでレジスタＮｏ＿Ｏｕｔにストアする。
【００３５】
次いで、ステップＳＢ４では、レジスタＮｏ＿Ｏｕｔにストアした出力端子番号が、畳み込み信号を割り当てた端子であるか否かを判断する。ここで、レジスタＮｏ＿Ｏｕｔにストアした出力端子番号には畳み込み信号が割り当てられていないので、判断結果は「ＮＯ」となり、ステップＳＢ７に進む。
ステップＳＢ７では、レジスタＮｏ＿Ｉｎにストアされた入力端子番号を、レジスタＮｏ＿Ｏｕｔにストアした出力端子番号に接続するよう切換え指示を発生する。これにより、切換処理部１０から切換制御部２０を経由してルータ部３０に切換え指示が供給され、ルータ部３０ではその指示に従って経路切換えする。
【００３６】
なお、このようにしてレジスタＮｏ＿Ｉｎにストアされた入力端子番号を、レジスタＮｏ＿Ｏｕｔにストアした出力端子番号に接続するよう経路切換えがなされると、その状態が前述した状態表示処理にて表示される結果、入力端子名の部分が「ＣＡＭ０１」から「ＩＮ０６」に変化する。
そして、ステップＳＢ８では、畳み込みフラグが「１」であるか否かを判断するが、この場合、当該フラグはゼロリセットされたままなので、判断結果は「ＮＯ」となり、一旦、切換え制御処理を完了させる。
【００３７】
ところで、上述した動作例は、畳み込み信号が割り当てられていない出力端子に入力端子を接続させる場合について述べたが、畳み込み信号が割り当てられた出力端子に入力端子を接続させる場合には、次のような動作となる。
例えば、図５のＧＵＩ画面において、入力端子名「ＩＮ０１」をドラッグしてサブ名称「Ｖ１」もしくはその隣の入力端子名の部分でドラッグすると、上述したステップＳＢ４の判断結果が「ＹＥＳ」となり、ステップＳＢ５に進み、畳み込みフラグを「１」にセットする。続いて、ステップＳＢ６では、ドロップされたサブ名称（畳み込み素材名）を取込んでレジスタＮｏ＿Ｓｕｂにストアする。
【００３８】
次いで、ステップＳＢ７では、ドラッグした入力端子名「ＩＮ０１」を、ドロップされた出力端子名「ＯＵＴ０１」に接続するよう経路切換えがなされ、この後、ステップＳＢ８の判断結果が「ＹＥＳ」となり、ステップＳＢ９に進む。
ステップＳＢ９では、レジスタＮｏ＿Ｓｕｂにストアされたサブ名称（畳み込み素材名）を選択するよう畳み込み信号切換え指示を発生する。これにより、切換処理部１０からデコーダ部４０に畳み込み信号切換え指示が供給され、デコーダ部４０ではその指示に従ってサブ名称「Ｖ１」の畳み込み素材を選択する。
【００３９】
なお、上述のように、ドラッグ／ドロップ操作によって畳み込み信号が割り当てられた出力端子に入力端子を接続させた後、素材（サブ名称）だけを変更する場合には、図５に示すＧＵＩ画面においてサブ名称もしくは入力端子名の部分をクリックする。
例えば図５に示すように「サブ名称Ｖ２」が選択されている状態で「サブ名称Ｖ１」もしくはその隣の入力端子名のセル部分をクリックすると、「サブ名称Ｖ１」が新たに選択され、それに応じてその隣の入力端子名のセル部分に入力端子名「ＩＮ０１」が表示されるようになっている。
【００４０】
以上のように、本実施の形態では、切換処理部１０が切換制御部２０やデコーダ部４０とデータ通信を行い、これにより得られるルータ部３０での経路切換え状態やデコーダ部４０に供給される信号の畳み込み状態をＧＵＩ画面としてディスプレイ１３に表示する一方、経路切換え状態や畳み込み状態が表示されるＧＵＩ画面においてなされるドラッグ／ドロップ操作に応じた切換え指示や素材選択指示を発生し、それに基づきルータ部３０の経路切換えやデコーダ部４０が選択する素材を制御するので、複数の素材が畳み込まれた信号形式に対応して切換え制御することが可能になる。
しかも、ＧＵＩ画面上でのドラッグ／ドロップ操作という簡単な操作で切換え指示と素材選択指示とを発生すると共に、それら指示に対応した経路切換え状態と素材選択状態とをＧＵＩ画面で確認し得る為、専門のオペレータでなくとも操作することが出来る。
【００４１】
なお、上述した実施の形態では、デコーダ部４０が切換処理部１０から供給される畳み込み信号切換え指示に応じて、複数の素材が畳み込まれた信号の内から指定された素材だけを選択して次段へ出力するようにしたが、これに替えて、複数の素材が畳み込まれた信号の内から指定された素材を除く他の素材を次段に出力したり、複数の素材が畳み込まれた信号のまま次段へ出力する態様にすることも可能である。そうした態様とすることで多様なデータ経路切換えを具現し得る。
また、本実施の形態にあっては、ルータ部３０の出力端子側にデコーダ部４０を配備するようにしたが、これに限らず、ルータ部３０の入力端子側にデコーダ部４０を設ける態様にしても構わないし、入出力端子の双方にデコーダ部４０を設けて切換処理することも可能である。
【００４２】
さらに、上述した実施の形態では、図５に図示したように、表形式のＧＵＩ画面上で行われるドラッグ／ドロップ操作によって切換え指示と素材選択指示とを発生するようにしたが、これに限らず、例えばカーソルキー操作で接続すべき入出力端子を指定する手法の他、ルータ部３０の経路切換え状態を図８のようにそのまま画面表示し、その画面内のクリック操作でクロスポイントＣＰを任意に設定する形態とすることもできる。その場合、複数の素材が畳み込まれた信号ラインとそうでない信号ラインとで表示色を異ならせれば、経路切換え状態が一目瞭然となる。
【００４３】
【発明の効果】
請求項１，３に記載の発明によれば、経路切換え手段に切換え指示を与え、その切換え指示に対応した入出力経路の切換え状態を検出して表示する一方、素材選択手段に入力される信号に畳み込まれる素材を検出し、検出した素材の内から選択すべき素材を指定する素材切換え指示を素材選択手段に与え、検出した素材名および素材切換え指示した素材名を表示するので、複数の素材が畳み込まれた信号形式に対応して切換え制御することができる。
請求項２，４に記載の発明によれば、切換え指示に対応した入出力経路の切換え状態と、検出した素材名および素材切換え指示した素材名とをＧＵＩ画面上に表示し、このＧＵＩ画面上の所定操作に応じて切換え指示および素材切換え指示を発生するので、ＧＵＩ画面を参照した所定操作で切換え指示と素材選択指示とを発生でき、しかもそれら指示に対応した経路切換え状態と素材選択状態とをＧＵＩ画面で確認し得る結果、専門のオペレータでなくとも簡単に操作することができる。
【図面の簡単な説明】
【図１】実施の一形態による切換制御システムの構成を示すブロック図である。
【図２】切換処理部１０と切換制御部２０／デコーダ部４０との間で行われるデータ通信のデータフォーマットを示す図である。
【図３】初期設定データの一例を示す図である。
【図４】切換え設定データの一例を示す図である。
【図５】ＧＵＩ画面の一例を示す図である。
【図６】状態表示処理の動作を示すフローチャートである。
【図７】切換え制御処理の動作を示すフローチャートである。
【図８】ルータにおける経路切換えを説明するための図である。
【符号の説明】
１０…切換処理部、１１…ＣＰＵ、１２…ＲＡＭ、１３…ディスプレイ、１４…ハードディスク装置、２０…切換制御部、２１…マイコン、２２〜２３…通信インタフェース、３０…ルータ部、３１…マイコン、３２…信号路切換え部、３３〜３５…通信インタフェース、４０…デコーダ部、５０…切換えコントローラ。
【図１】
0004617590.tif 000002
【図２】
0004617590.tif 000003
【図３】
0004617590.tif 000004
【図４】
0004617590.tif 000005
【図５】
0004617590.tif 000006
【図６】
0004617590.tif 000007
【図７】
0004617590.tif 000008
【図８】
0004617590.tif 000009